(57)【要約】【課題】配管を隠す目隠し板を安定して支持しつつ、点検時には目隠し板を容易に取り外すことが可能な車椅子対応キッチンを提供することを目的とする。【解決手段】本発明にかかる車椅子対応キッチン（キッチン１００）の構成は、シンク１１２が配置される天板１１０と、天板１１０の両端に一対に配置される側板１３０ａ・１３０ｂと、床１０２と天板１１０との間に配置されて一対の側板１３０ａ・１３０ｂを連結する梁１４０と、配管１０４を隠す目隠板１５０と、梁１４０に固定されて目隠板１５０の下端を支持する支持部材１６０と、を備え、支持部材１６０は、梁１４０の手前側の端部（前端１４０ａ）に目隠板１５０の下端が挿入される溝Ｓを形成することを特徴とする。【選択図】図２
2018175332.tif 000002
【特許請求の範囲】
【請求項１】
シンクが配置される天板と、
前記天板の両端に一対に配置される側板と、
床と前記天板との間に配置されて前記一対の側板を連結する梁と、
配管を隠す目隠板と、
前記梁に固定されて前記目隠板の下端を支持する支持部材と、
を備え、
前記支持部材は、前記梁の手前側の端部に前記目隠板の下端が挿入される溝を形成することを特徴とする車椅子対応キッチン。
【請求項２】
前記配管は、前記一対の側板のうち一方側に寄せて配置されていることを特徴とする請求項１に記載の車椅子対応キッチン。
【請求項３】
前記一対の側板のうち一方の側板に代えてキャビネットを備え、
前記一対の側板のうち他方の側板は、下方に向かうにしたがって奥側に傾斜していることを特徴する請求項１に記載の車椅子対応キッチン。
【発明の詳細な説明】
【技術分野】
【０００１】
本発明は、配管を隠す目隠し板を備える車椅子対応キッチンに関する。
【背景技術】
【０００２】
近年、車椅子に乗った人が自立して生活できる環境が望まれている。車椅子を使用するユーザに対応したキッチン（以下、車椅子対応キッチンと称する）としては、シンクと調理機器とを備えたカウンター本体を壁面に固定したキッチンカウンターが提案されている（例えば特許文献１）。特許文献１によれば、キッチンカウンターを壁面に支持させることにより、カウンター本体の端から端までを車椅子に座ったままでも自由に使うことができるようになるとしている。
【先行技術文献】
【特許文献】
【０００３】
【特許文献１】特開平１１−１２７９９１号公報
【発明の概要】
【発明が解決しようとする課題】
【０００４】
キッチンには、水栓用の配管や、調理機器用のガス等の配管が設けられる。特許文献１のキッチンカウンターでは、カウンター本体上に給水管を配置しているが、このような配置であると給水管が露出しているため、ユーザの目に付きやすい。このため、特許文献１のような配置は外観上優れているとは言い難い。
【０００５】
一般に、配管は、ユーザが視認しづらいカウンターの下方に配置されることが多い。そして、外観性をより高めるために、カウンターの下方に配置された配管の前面を覆う目隠し板が配置されることがある。通常のキッチンであれば、目隠し板を床面まで延ばすことにより下縁を床面に支持させることができる。しかしながら、車椅子対応キッチンでは、目隠し板を床面まで延ばすと、車椅子に乗っているユーザの足が干渉してしまう。このため、車椅子対応キッチンでは、目隠し板の下縁は床面よりも上方に位置することとなる。
【０００６】
目隠し板の下縁が床面よりも上方に位置する場合、目隠し板はキッチンの側板のみに支持されることになる。このため、目隠し板の下端が床面に支持されている場合に比して支持安定性が低くなる。支持安定性を高めるためには、目隠し板を側板に強固に固定すればよいが、すると目隠し板を取り外しづらくなるため、配管等の点検時の取り外し作業に手間がかかってしまう。
【０００７】
本発明は、このような課題に鑑み、配管を隠す目隠し板を安定して支持しつつ、点検時には目隠し板を容易に取り外すことが可能な車椅子対応キッチンを提供することを目的としている。
【課題を解決するための手段】
【０００８】
上記課題を解決するために、本発明にかかる車椅子対応キッチンの代表的な構成は、シンクが配置される天板と、天板の両端に一対に配置される側板と、床と天板との間に配置されて一対の側板を連結する梁と、配管を隠す目隠板と、梁に固定されて目隠板の下端を支持する支持部材と、を備え、支持部材は、梁の手前側の端部に目隠板の下端が挿入される溝を形成することを特徴とする。
【０００９】
上記構成では、配管を目隠しする目隠板は支持部材に支持される。かかる支持部材が梁の手前側の端部に目隠板の下端が挿入される溝を形成することにより、目隠し板の下端の好適に支持することができる。そして、支持部材が梁に固定されていることにより、目隠し板の荷重は支持部材に支持される。また、目隠板の下端が支持部材によって形成される溝に入りこんでいることから、車椅子に乗ったユーザの足が衝突したとしても、目隠板が外れてしまうことがない。これにより、目隠し板を安定して支持することが可能なる。
【００１０】
また目隠し板は、配管の点検時には取り外す必要があるが、上記構成によれば、目隠し板は支持部材によって支持されているものの、支持部材に固定されてはいない。したがって、点検時には目隠し板を容易に取り外すことが可能である。
【００１１】
上記配管は、一対の側板のうち一方側に寄せて配置されているとよい。かかる構成によれば、キッチン内の天板の下方の空間において、一対の側板のうち、配管が寄せて配置されている側の側板近傍の領域以外では、ユーザの足の移動を妨げるものがない。したがって、キッチンにおける快適性を高めることが可能となる。
【００１２】
上記一対の側板のうち一方の側板に代えてキャビネットを備え、一対の側板のうち他方の側板は、下方に向かうにしたがって奥側に傾斜しているとよい。かかる構成によれば、キャビネットを設けることにより、物品の収納が可能となり、キッチンの利便性を高めることができる。またかかる構成では、キャビネットとは反対側の側板は、手前側の下方が切り欠かれた形状となる。したがって、車椅子に乗っているユーザの足と側板との干渉を防ぐことができ、キッチンとその外側の空間とを容易に移動することが可能となる。
【発明の効果】
【００１３】
本発明によれば、配管を隠す目隠し板を安定して支持しつつ、点検時には目隠し板を容易に取り外すことが可能な車椅子対応キッチンを提供することができる。
【図面の簡単な説明】
【００１４】
【図１】第１実施形態にかかる車椅子対応キッチンの全体斜視図である。
【図２】キッチンの正面図である。
【図３】キッチンから目隠板を取り外した状態を示す斜視図である。
【図４】キッチンの断面図である。
【図５】第２実施形態にかかる車椅子対応キッチンの全体斜視図である。
【図６】第３実施形態にかかる車椅子対応キッチンの全体斜視図である。
【図７】支持部材の他の例を説明する図である。
【発明を実施するための形態】
【００１５】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１６】
（第１実施形態）
図１は、第１実施形態にかかる車椅子対応キッチン（以下、キッチン１００と称する）の全体斜視図である。図２はキッチンの正面図である。図３はキッチン１００から目隠板１５０を取り外した状態を示す斜視図である。なお、理解を容易にするために、図２では、目隠板１５０によって隠されている部材は破線にて示している。
【００１７】
図１〜図３に示すように、本実施形態にかかるキッチンは天板１１０を備え、かかる天板１１０には、シンク１１２および加熱機器１１４が設けられている。加熱機器１１４としては、例えばガスコンロ、ＩＨコンロ、電熱コンロ等を例示することができる。天板１１０の前端には幕板１２０が配置されていて、天板１１０の両端の下方には、天板１１０を支持する一対の側板１３０ａ・１３０ｂが配置されている。一対の側板１３０ａ・１３０ｂは、床１０２と天板１１０との間に配置される梁１４０によって連結されている。
【００１８】
キッチン１００では、天板１１０の下方にシンク１１２の配管１０４や給湯器１０６が配置される。それらを隠すために、配管１０４や給湯器１０６の手前側には目隠板１５０が配置される。目隠板１５０と床１０２との間に空間が設けられていることにより、車椅子に乗ったユーザがキッチン１００を使用する際の目隠板１５０と足との干渉を防ぐことができる。
【００１９】
図４はキッチン１００の断面図である。説明の都合上、図４では、図１の目隠板１５０を取り外した状態を示している。図１〜３に示すように、目隠板１５０の下端は、梁１４０に固定された支持部材１６０によって支持される。そして、本実施形態の特徴として、図４の拡大図に示すように支持部材１６０は、目隠板１５０の前面から梁１４０の下面まで沿うＬ字形状を有する。すると支持部材の起立面１６０ａ、底面１６０ｂ、および梁１４０の前端１４０ａによって、梁１４０の手前側の端部に目隠板１５０の下端が挿入されるポケット状の隙間である溝Ｓが形成される。
【００２０】
目隠板１５０は、支持部材１６０を介して梁１４０ひいては側板１３０ａ・１３０ｂに支持される。また、目隠板１５０の下端が溝Ｓに入りこむことにより、支持部材の起立面１６０ａが目隠板１５０の前面に回り込んだ状態となる。これにより、車椅子に乗ったユーザの足が衝突したとしても、目隠板１５０が外れてしまうことがない。したがって、目隠板１５０の支持安定性を高めることができる。
【００２１】
上記の目隠板は１５０は、支持部材１６０に支持されているが、かかる支持部材１６０には固定されていないため、着脱が容易である。詳細には、図３に示すように、キッチン１００の側板１３０ｂには、マグネット１３２が取り付けられている（側板１３０ａのマグネットは不図示）。一方、目隠板１５０の裏面には、幅方向の側縁近傍に鉄板１５２が配置されている。
【００２２】
目隠板１５０をキッチン１００に取り付ける際には、目隠板１５０の下端を、梁１４０の前端と支持部材１６０との隙間Ｓに嵌めこむ。そして、目隠板１５０の上部を奥側に向かって倒すことにより、鉄板１５２がマグネット１３２に固定され、目隠板１５０が支持部材１６０に支持される。目隠板１５０を取り外す際には、目隠板１５０の上部を手前側に引っ張り、目隠板１５０の下端を梁１４０の前端と支持部材１６０との隙間Ｓから抜き出す。このように、本実施形態では、配管１０４や給湯器１０６の点検時には、目隠板１５０を容易に取り外すことが可能であり、その後の取付も容易に行うことができる。
【００２３】
また本実施形態では、図２に示すように、キッチン１００の天板１１０の下方において、配管１０４は、一対の側板１３０ａ・１３０ｂのうち、一方側の側板１３０ｂに寄せて配置されている。これにより、天板１１０の下方では、一方の側板１３０ｂの近傍の領域以外ではユーザの足の移動を妨げるものがなくなるため、キッチン１００において高い快適性を確保することができる。
【００２４】
更に本実施形態では、図１に示すようにキッチン１００の天板１１０の上方には換気扇１７０および照明１８０が設けられていて、これらのスイッチ１９０ａ・１９０ｂは、天板１１０の前端に配置される幕板１２０に設けけられている。これにより、車椅子を使用しているユーザが換気扇１７０および照明１８０の操作を容易に行うことができる。したがって、キッチン１００における利便性を高めることが可能となる。
【００２５】
（第２実施形態）
図５は、第２実施形態にかかる車椅子対応キッチン（以下、キッチン２００と称する）の全体斜視図である。なお、第１実施形態のキッチン１００と重複する構成要素については、同一の符号を付すことにより説明を省略する。
【００２６】
第１実施形態のキッチンは、天板１１０の両端の下方に一対の側板１３０ａ・１３０ｂが配置されていた。これに対し、図５に示すように、第２実施形態のキッチン２００は、一対の側板１３０ａ・１３０ｂのうち、一方の側板１３０ａに代えてキャビネット２１０を備える。これにより、キッチン２００における収納空間を増やし、利便性を高めることが可能となる。
【００２７】
また図５に示すように、キャビネット２１０と反対側の側板１３０ｂは、前縁１３４が下方に向かうにしたがって奥側に傾斜している。すなわち側板１３０ｂの手前側の下方が切り欠かれた状態となるため、車椅子に乗っているユーザの足と側板１３０ｂとの干渉を好適に防ぐことができる。したがって、ユーザは、キッチン２００とその外側の空間とを容易に移動することが可能となる。
【００２８】
なお、第２実施形態では、左右方向でキャビネット２１０と反対側に配置される側板１３０ｂを例示して説明したが、これに限定するものではない。例えば、第１実施形態のキッチン１００のように１対の側板１３０ａ・１３０ｂを備える構成であっても、その前縁を下方に向かうにしたがって奥側に傾斜させることにより、上記と同様の効果を得ることが可能である。この場合、一対の側板１３０ａ・１３０ｂのうち、例えば壁面に隣接しない側の側板のみの前縁を傾斜させてもよいし、一対の側板の両方の前縁を傾斜させる構成とすることも可能である。
【００２９】
（第３実施形態）
図６は、第３実施形態にかかる車椅子対応キッチン（以下、キッチン３００と称する）の全体斜視図である。図６（ａ）に示すように、第３実施形態のキッチン３００の側板１３０ｂには、第１実施形態のキッチン１００のマグネット１３２に替えて、目隠板１５０の上端に係合するフック３３２が設けられている。フック３３２は、キッチンの奥側に回転軸３３２ａを備え、手前側に下向きに凸の爪３３２ｂを備えている。したがってフック３３２は自重によって回転し、爪３３２ｂが常に下方向に付勢される。
【００３０】
上記構成によれば、図６（ｂ）に示すように、目隠板１５０の上端にフック３３２が係合することで、かかるフック３３２を介して目隠板１５０を側板１３０ｂに好適に保持させることができる。そして、図６（ｂ）に破線にて示すように、フック３３２の爪３３２ｂを持ち上げて、フック３３２をキッチン３００の奥側に向かって回転させることにより、目隠板１５０をフック３３２ひいては側板１３０ｂから容易に取り外すことが可能である。
【００３１】
図７は、支持部材の他の例を説明する図である。上述した実施形態では、図４に示すように断面がＬ字形状の支持部材１６０を例示したが、これに限定するものではない。例えば図７（ａ）に示す支持部材２６２は、起立面２６２ａおよび底面２６２ｂに加えて、梁の前端１４０ａに沿う起立面２６２ｃ、および梁１４０の上面に固定される取付面２６２ｄを有する。かかる構成によれば、起立面２６２ａ、２６２ｃ、底面２６２ｂによって梁１４０の手前側の端部すなわち前端１４０ａの前方に溝Ｓが形成される。したがって、上述した支持部材１６０と同様の効果が得られる。
【００３２】
また図７（ｂ）では、支持部材２６４は、梁１４０の上側に起立面２６４ａ、２６４ｃ、底面２６４ｂを有していて、梁１４０の前端１４０ａの上方に溝Ｓが形成される。また支持部材２６４は、梁の前端１４０ａに沿って梁１４０の下面まで回り込むＬ字状の取付面２６４ｄを有している。このような構成によっても、上述した支持部材２６０ｂと同様の効果を得ることが可能である。
【００３３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３４】
本発明は、配管を隠す目隠し板を備える車椅子対応キッチンに利用することができる。
【符号の説明】
【００３５】
１００…キッチン、１０２…床、１０４…配管、１０６…給湯器、１１０…天板、１１２…シンク、１１４…加熱機器、１２０…幕板、１３０ａ…側板、１３０ｂ…側板、１３２…マグネット、１３４…前縁、１４０…梁、１４０ａ…梁の前端、１５０…目隠板、１５２…鉄板、１６０…支持部材、１６０ａ…起立面、１６０ｂ…底面、１７０…換気扇、１８０…照明、１９０ａ…スイッチ、１９０ｂ…スイッチ、２００…キッチン、２１０…キャビネット、２６２…支持部材、２６２ａ…起立面、２６２ｂ…底面、２６２ｃ…起立面、２６２ｄ…取付面、２６４…支持部材、２６４ａ…起立面、２６４ｂ…底面、２６４ｃ…起立面、２６４ｄ…取付面、３００…キッチン、３３２…フック
【図１】
2018175332.tif 000003
【図２】
2018175332.tif 000004
【図３】
2018175332.tif 000005
【図４】
2018175332.tif 000006
【図５】
2018175332.tif 000007
【図６】
2018175332.tif 000008
【図７】
2018175332.tif 000009